(57)【要約】【課題】種々の既設の建築構造物に対して容易に増設することができ、傾斜スロープ面の傾斜角度の調整が容易であると共に、傾斜スロープ面及び手摺支柱部の耐荷重強度を高く維持することができる組立式スロープユニットを提供すること。【解決手段】組立式スロープユニット１は、車椅子等が通行するための傾斜スロープ面を、床用フレーム３及び床板からなる床部によって形成する。床用フレーム３は、荷重受部７に形成した山状傾斜面７１に載置した状態で、支軸６４によって荷重受部７に連結してある。組立式スロープユニット１は、アジャスタ部６０により脚支柱部６の長さを調整すると共に支軸６４を支点に床用フレーム３を回動させることにより、床用フレーム３を脚支柱部６に対して傾斜配置し、傾斜配置した床用フレーム３に床板を取り付けることにより傾斜スロープ面を形成するよう構成してある。【選択図】図４
2007138480.tif 000002
【特許請求の範囲】
【請求項１】
通行用の傾斜スロープ面を形成する床部と、該床部を支持する複数の支柱とを有してなる組立式スロープユニットであって、
上記床部は、上記傾斜スロープ面の通行方向において互いに隣接する上記支柱同士を連結する床用フレームと、該床用フレームに取り付けて上記傾斜スロープ面を形成する床板とを有しており、
上記支柱は、伸縮可能なアジャスタ部を備えた脚支柱部と、該脚支柱部の上端部に配設した荷重受部と、該荷重受部から立設した手摺支柱部とを有しており、上記荷重受部には、上記床用フレームを載置するための山状傾斜面が形成してあり、
上記床用フレームは、上記山状傾斜面に載置した状態で、上記通行方向に直交する幅方向に設けた支軸によって上記荷重受部に連結してあり、
上記アジャスタ部により上記脚支柱部の長さを調整すると共に上記支軸を支点に上記床用フレームを回動させることにより、該床用フレームを上記脚支柱部に対して傾斜配置し、該傾斜配置した床用フレームに上記床板を取り付けることにより上記傾斜スロープ面を形成するよう構成してあることを特徴とする組立式スロープユニット。
【請求項２】
請求項１において、上記荷重受部には、上記山状傾斜面の頂点部に対する上記通行方向の前後位置に、ネジ穴が形成してあり、
上記床用フレームは、上記ネジ穴に螺合させたネジによって上記荷重受部に固定してあることを特徴とする組立式スロープユニット。
【請求項３】
通行用の傾斜スロープ面を形成する床部と、該床部を支持する複数の支柱とを有してなる組立式スロープユニットであって、
上記床部は、上記傾斜スロープ面の通行方向において互いに隣接する上記支柱同士を連結する床用フレームと、該床用フレームに取り付けて上記傾斜スロープ面を形成する床板とを有しており、
上記支柱は、ジャッキ用おねじ部を立設してなるジャッキベース支柱と、上記ジャッキ用おねじ部に螺合するジャッキ用めねじ部を形成してなると共に上記床用フレームを載置するための山状傾斜面を形成してなる荷重受部と、上記ジャッキ用おねじ部の上部に連結した手摺支柱部と、上記ジャッキ用おねじ部と上記ジャッキ用めねじ部との螺合状態の緩み止めを行う緩み止めナットとを有しており、
上記床用フレームは、上記山状傾斜面に載置した状態で、上記通行方向に直交する幅方向に設けた支軸によって上記荷重受部に連結してあり、
上記ジャッキ用おねじ部に対する上記ジャッキ用めねじ部の螺合高さを調整すると共に上記支軸を支点に上記床用フレームを回動させることにより、該床用フレームを上記支柱に対して傾斜配置し、該傾斜配置した床用フレームに上記床板を取り付けることにより上記傾斜スロープ面を形成するよう構成してあることを特徴とする組立式スロープユニット。
【請求項４】
請求項３において、上記手摺支柱部は、丸パイプ部材を上記ジャッキ用おねじ部の上部に嵌め込んでなることを特徴とする組立式スロープユニット。
【請求項５】
通行用の傾斜スロープ面を形成する床部と、該床部を支持する複数の支柱とを有してなる組立式スロープユニットであって、
上記支柱は、ジャッキ用おねじ部を立設してなるジャッキベース支柱と、上記ジャッキ用おねじ部に螺合するジャッキ用めねじ部を形成してなる荷重受部と、上記ジャッキ用おねじ部の上部に連結した手摺支柱部と、上記ジャッキ用おねじ部と上記ジャッキ用めねじ部との螺合状態の緩み止めを行う緩み止めナットとを有しており、
上記床部は、上記傾斜スロープ面の通行方向に直交する幅方向において、互いに対向する上記支柱における上記荷重受部同士の間に掛け渡した丸パイプ部材と、該丸パイプ部材上に載置する床板とを有しており、
上記ジャッキ用おねじ部に対する上記ジャッキ用めねじ部の螺合高さを調整すると共に上記丸パイプ部材を支点に上記床板を回動させることにより、該床板を上記支柱に対して傾斜配置して上記傾斜スロープ面を形成するよう構成してあることを特徴とする組立式スロープユニット。
【請求項６】
請求項５において、上記床板は、複数の床板ピースに分割形成してあり、
該床板ピースは、上記丸パイプ部材上に載置する床板部と、該床板部の上記通行方向における両端部から下方に向けて屈曲形成した一対の側板部とからなり、
上記通路方向に互いに隣接する床板ピース同士は、上記側板部によって連結してあることを特徴とする組立式スロープユニット。
【請求項７】
請求項６において、上記幅方向に互いに隣接する床板ピース同士は、一方の床板ピースにおける上記通行方向一方側に位置する側板部の内側面と、他方の床板ピースにおける上記通行方向他方側に位置する側板部の内側面との間に、上記丸パイプ部材を挟持していることを特徴とする組立式スロープユニット。
【発明の詳細な説明】
【技術分野】
【０００１】
本発明は、既設の建築構造物等に設置して、車椅子等の通行を可能にする組立式スロープユニットに関する。
【背景技術】
【０００２】
例えば、介護用住宅等には、介護が必要な老人や障害者が車椅子等で出入りすることができるように、玄関に通じるスロープが形成されており、このようなスロープとしては、例えば、特許文献１に開示されたものがある。
この特許文献１の住宅介護用ユニットハウスにおいては、これに設けられたスライド式の扉の室外側に、被介護者が車椅子等で出入りすることができるスロープを形成している。そして、これにより、被介護者は、車椅子に乗ったままの状態で、屋内と屋外との間を出入りすることができるようになっている。
【０００３】
しかしながら、上記従来のスロープは、住宅を建築する際に、住宅の玄関に通じるように予め設置して設けられたものである。そのため、住宅又は施設等を建設した後に、スロープを増設するような場合は想定されておらず、簡単な方法で増設することができるスロープの開発が望まれていた。
【０００４】
なお、特許文献２においては、車椅子等が段差を安全に通行できるように、段差の上段と下段との間に架け渡して使用することができる携帯式スロープが開示されている。この携帯式スロープは、折り畳み可能にすることにより、携帯性を向上させている。しかしながら、この携帯式スロープは、住宅用又は施設用に開発されたものではなく、住宅又は施設等に増設するスロープとして使用することは想定されていない。
【０００５】
【特許文献１】特開平８−２９６３３４号公報
【特許文献２】特開２００３−２３０５９７号公報
【発明の開示】
【発明が解決しようとする課題】
【０００６】
本発明は、かかる従来の問題点に鑑みてなされたもので、種々の既設の建築構造物に対して容易に増設することができ、傾斜スロープ面の傾斜角度の調整が容易であると共に、傾斜スロープ面及び手摺支柱部の耐荷重強度を高く維持することができる組立式スロープユニットを提供しようとするものである。
【課題を解決するための手段】
【０００７】
第１の発明は、通行用の傾斜スロープ面を形成する床部と、該床部を支持する複数の支柱とを有してなる組立式スロープユニットであって、
上記床部は、上記傾斜スロープ面の通行方向において互いに隣接する上記支柱同士を連結する床用フレームと、該床用フレームに取り付けて上記傾斜スロープ面を形成する床板とを有しており、
上記支柱は、伸縮可能なアジャスタ部を備えた脚支柱部と、該脚支柱部の上端部に配設した荷重受部と、該荷重受部から立設した手摺支柱部とを有しており、上記荷重受部には、上記床用フレームを載置するための山状傾斜面が形成してあり、
上記床用フレームは、上記山状傾斜面に載置した状態で、上記通行方向に直交する幅方向に設けた支軸によって上記荷重受部に連結してあり、
上記アジャスタ部により上記脚支柱部の長さを調整すると共に上記支軸を支点に上記床用フレームを回動させることにより、該床用フレームを上記脚支柱部に対して傾斜配置し、該傾斜配置した床用フレームに上記床板を取り付けることにより上記傾斜スロープ面を形成するよう構成してあることを特徴とする組立式スロープユニットにある（請求項１）。
【０００８】
本発明の組立式スロープユニット（以下、単にスロープユニットということがある。）は、既に建築された建築構造物に対して、後から増設することができるものである。
そして、本発明のスロープユニットを、既設の建築構造物に増設する際には、アジャスタ部により脚支柱部の長さを調整すると共に、荷重受部に設けた支軸を支点に床用フレームを回動させることにより、床用フレームを脚支柱部に対して傾斜配置する。その後、傾斜配置した床用フレームに床板を取り付けることにより、種々の傾斜角度を有する傾斜スロープ面を容易に形成することができる。
そのため、上記スロープユニットは、種々の既設の建築構造物に容易に増設することができる。
【０００９】
また、傾斜スロープ面の傾斜角度は、床用フレームを荷重受部の山状傾斜面に沿わせて調整することができる。そのため、傾斜スロープ面の傾斜角度の調整が容易である。
また、床用フレームは、荷重受部の山状傾斜面上に載置することができる。そのため、床用フレームを支柱に対して安定して配設することができ、床用フレームに取り付けた床板により、傾斜スロープ面の耐荷重強度を高く維持することができる。
【００１０】
さらに、手摺支柱部は、荷重受部を介して脚支柱部上に立設してあり、床用フレーム及び床板により傾斜スロープ面を形成したときでも、スロープユニットの設置面に対して傾斜してしまうことがない。これにより、傾斜スロープ面の傾斜角度の調整を行ったときでも、手摺支柱部は、上記設置面に対してほぼ垂直に維持することができる。そのため、手摺支柱部に直交して手摺部材等を配設して手摺を構成したときには、この手摺の強度を高く維持することができる。
【００１１】
それ故、本発明の組立式スロープユニットによれば、種々の既設の建築構造物に対して容易に増設することができ、傾斜スロープ面の傾斜角度の調整が容易であると共に、傾斜スロープ面及び手摺支柱部の耐荷重強度を高く維持することができる。
【００１２】
第２の発明は、通行用の傾斜スロープ面を形成する床部と、該床部を支持する複数の支柱とを有してなる組立式スロープユニットであって、
上記床部は、上記傾斜スロープ面の通行方向において互いに隣接する上記支柱同士を連結する床用フレームと、該床用フレームに取り付けて上記傾斜スロープ面を形成する床板とを有しており、
上記支柱は、ジャッキ用おねじ部を立設してなるジャッキベース支柱と、上記ジャッキ用おねじ部に螺合するジャッキ用めねじ部を形成してなると共に上記床用フレームを載置するための山状傾斜面を形成してなる荷重受部と、上記ジャッキ用おねじ部の上部に連結した手摺支柱部と、上記ジャッキ用おねじ部と上記ジャッキ用めねじ部との螺合状態の緩み止めを行う緩み止めナットとを有しており、
上記床用フレームは、上記山状傾斜面に載置した状態で、上記通行方向に直交する幅方向に設けた支軸によって上記荷重受部に連結してあり、
上記ジャッキ用おねじ部に対する上記ジャッキ用めねじ部の螺合高さを調整すると共に上記支軸を支点に上記床用フレームを回動させることにより、該床用フレームを上記支柱に対して傾斜配置し、該傾斜配置した床用フレームに上記床板を取り付けることにより上記傾斜スロープ面を形成するよう構成してあることを特徴とする組立式スロープユニットにある（請求項３）。
【００１３】
本発明の組立式スロープユニット（以下、単にスロープユニットということがある。）もまた、既に建築された建築構造物に対して、後から増設することができるものである。
そして、本発明のスロープユニットを、既設の建築構造物に増設する際には、ジャッキ用おねじ部に対するジャッキ用めねじ部の螺合高さを調整すると共に、荷重受部に設けた支軸を支点に床用フレームを回動させることにより、床用フレームを支柱に対して傾斜配置する。その後、傾斜配置した床用フレームに床板を取り付けることにより、種々の傾斜角度を有する傾斜スロープ面を容易に形成することができる。
そのため、上記スロープユニットもまた、種々の既設の建築構造物に容易に増設することができる。
【００１４】
また、本発明においても、上記第１の発明と同様に、傾斜スロープ面の傾斜角度の調整が容易であり、傾斜スロープ面の耐荷重強度を高く維持することができ、かつ手摺支柱部を用いて構成する手摺の強度を高く維持することができる。
それ故、本発明の組立式スロープユニットによっても、種々の既設の建築構造物に対して容易に増設することができ、傾斜スロープ面の傾斜角度の調整が容易であると共に、傾斜スロープ面及び手摺支柱部の耐荷重強度を高く維持することができる。
【００１５】
第３の発明は、通行用の傾斜スロープ面を形成する床部と、該床部を支持する複数の支柱とを有してなる組立式スロープユニットであって、
上記支柱は、ジャッキ用おねじ部を立設してなるジャッキベース支柱と、上記ジャッキ用おねじ部に螺合するジャッキ用めねじ部を形成してなる荷重受部と、上記ジャッキ用おねじ部の上部に連結した手摺支柱部と、上記ジャッキ用おねじ部と上記ジャッキ用めねじ部との螺合状態の緩み止めを行う緩み止めナットとを有しており、
上記床部は、上記傾斜スロープ面の通行方向に直交する幅方向において、互いに対向する上記支柱における上記荷重受部同士の間に掛け渡した丸パイプ部材と、該丸パイプ部材上に載置する床板とを有しており、
上記ジャッキ用おねじ部に対する上記ジャッキ用めねじ部の螺合高さを調整すると共に上記丸パイプ部材を支点に上記床板を回動させることにより、該床板を上記支柱に対して傾斜配置して上記傾斜スロープ面を形成するよう構成してあることを特徴とする組立式スロープユニットにある（請求項５）。
【００１６】
本発明の組立式スロープユニット（以下、単にスロープユニットということがある。）もまた、既に建築された建築構造物に対して、後から増設することができるものである。
そして、本発明のスロープユニットを、既設の建築構造物に増設する際には、ジャッキ用おねじ部に対するジャッキ用めねじ部の螺合高さを調整すると共に、丸パイプ部材を支点に床板を回動させることにより、床板を支柱に対して傾斜配置して、種々の傾斜角度を有する傾斜スロープ面を容易に形成することができる。
そのため、上記スロープユニットもまた、種々の既設の建築構造物に容易に増設することができる。
【００１７】
また、傾斜スロープ面の傾斜角度は、床板を丸パイプ部材の曲面に沿わせて調整することができる。そのため、傾斜スロープ面の傾斜角度の調整が容易である。また、床板は、丸パイプ部材の曲面上に載置することができる。そのため、床板を支柱に対して安定して配設することができ、この床板により、傾斜スロープ面の耐荷重強度を高く維持することができる。
それ故、本発明の組立式スロープユニットによっても、種々の既設の建築構造物に対して容易に増設することができ、傾斜スロープ面の傾斜角度の調整が容易であると共に、傾斜スロープ面及び手摺支柱部の耐荷重強度を高く維持することができる。
【発明を実施するための最良の形態】
【００１８】
上述した第１〜第３の発明における好ましい実施の形態につき説明する。
上記第１の発明において、上記荷重受部には、上記山状傾斜面の頂点部に対する上記通行方向の前後位置に、ネジ穴が形成してあり、上記床用フレームは、上記ネジ穴に螺合させたネジによって上記荷重受部に固定してあることが好ましい（請求項２）。
この場合には、山状傾斜面と、通行方向の前後位置におけるネジとによって、床用フレームの傾斜角度を荷重受部に対して安定して維持することができる。
【００１９】
また、上記第２の発明において、上記手摺支柱部は、丸パイプ部材を上記ジャッキ用おねじ部の上部に嵌め込んでなることが好ましい（請求項４）。
この場合には、手摺支柱部をジャッキベース支柱におけるジャッキ用おねじ部の上部に極めて簡単に連結することができる。
【００２０】
また、上記第３の発明において、上記床板は、複数の床板ピースに分割形成してあり、該床板ピースは、上記丸パイプ部材上に載置する床板部と、該床板部の上記通行方向における両端部から下方に向けて屈曲形成した一対の側板部とからなり、上記通路方向に互いに隣接する床板ピース同士は、上記側板部によって連結してあることが好ましい（請求項６）。
この場合には、床板の強度を向上させると共に、床板を丸パイプ部材上に載置することが容易であり、組立式スロープユニットの組付性を向上させることができる。
【００２１】
また、上記幅方向に互いに隣接する床板ピース同士は、一方の床板ピースにおける上記通行方向一方側に位置する側板部の内側面と、他方の床板ピースにおける上記通行方向他方側に位置する側板部の内側面との間に、上記丸パイプ部材を挟持していることが好ましい（請求項７）。
この場合には、床板の強度を一層向上させることができる。また、丸パイプ部材を支点にして床板ピースを回動させることが容易であり、各床板ピースの傾斜角度を適切に調整して、傾斜スロープ面を形成することができる。
【実施例】
【００２２】
以下に、本発明の組立式スロープユニットにかかる実施例につき、図面と共に説明する。
（実施例１）
本例の組立式スロープユニット１（以下に、単にスロープユニット１という。）は、図１〜図５に示すごとく、既存住宅等の建築構造物８における掃出窓又は小縁等の高台部８１の屋外側に設置して、この高台部８１と屋外との間において車椅子等の出入を可能にするものである。
また、スロープユニット１は、車椅子等が通行するための傾斜スロープ面４１を形成する床部２と、この床部２を四方から支持する複数の支柱５とを有している。
【００２３】
図４、図５に示すごとく、床部２は、傾斜スロープ面４１の通行方向Ｌにおいて互いに隣接する支柱５同士を連結する床用フレーム３と、この床用フレーム３に取り付けて傾斜スロープ面４１を形成する床板４とを有している。支柱５は、伸縮可能なアジャスタ部６０を備えた脚支柱部６と、この脚支柱部６の上端部に配設した荷重受部７と、この荷重受部７から立設した手摺支柱部５１とを有している。荷重受部７には、床用フレーム３を載置するための山状傾斜面７１が形成してある。
【００２４】
同図に示すごとく、床用フレーム３は、山状傾斜面７１に載置した状態で、通行方向Ｌに直交する幅方向Ｗに設けた支軸６４によって荷重受部７に連結してある。
そして、組立式スロープユニット１は、アジャスタ部６０により脚支柱部６の長さを調整すると共に支軸６４を支点に床用フレーム３を回動させることにより、この床用フレーム３を脚支柱部６に対して傾斜配置し、この傾斜配置した床用フレーム３に床板４を取り付けることにより傾斜スロープ面４１を形成するよう構成してある。
【００２５】
以下に、本例の組立式スロープユニット１につき、図１〜図５と共に詳説する。
図１〜図３に示すごとく、本例のスロープユニット１は、既に建築された既存住宅又は既存施設における掃出窓又は小縁等の高台部８１を利用して、既存住宅又は既存施設の室内（屋内）と屋外との間を、老人、障害者等の体力衰弱者（利用者）が出入りできるようにするものであり、種々の既存住宅又は既存施設に対して、後から増設することができるものである。そして、本例のスロープユニット１は、可搬組立式のスロープユニット１であり、当該スロープユニット１の増設が必要な既存住宅又は既存施設まで各構成部材を分解した状態で運搬し、既存住宅又は既存施設の庭等において各構成部材を組み立てることにより、建築の専門業者でなくても、容易に組立ができるよう工夫がなされたものである。
【００２６】
なお、図１は、既存住宅又は既存施設における高台部８１に連結して設置したスロープユニット１を、側方から見た状態で示す図であり、図２は、スロープユニット１の平面図であり、図３は、スロープユニット１の正面図である。
また、図１〜図３に示すごとく、本例のスロープユニット１においては、床部２により形成した水平床面４０を高台部８１に連結し、水平床面４０に対して上記傾斜スロープ面４１を結合した。
【００２７】
本例のスロープユニット１は、組立前の状態において、床部２を構成する床用フレーム３及び床板４等、支柱５を構成する脚支柱部６、荷重受部７及び手摺支柱部５１等の各構成部材に分解されており、この分解状態でトラック等の運搬車によって運搬が可能である。
図４、図５に示すごとく、本例の床用フレーム３は、センター板部３１及びセンター板部３１の両端から立設した一対のサイド板部３２とからなるチャンネルを用いて構成してあり、センター板部３１の内側面を下方に向けて、荷重受部７の山状傾斜面７１上に当接させている。
【００２８】
図４に示すごとく、本例の荷重受部７は、ブロック材の上面に山状傾斜面７１を形成してなる。また、荷重受部７には、山状傾斜面７１の頂点部に対する通行方向Ｌの前後位置に、ネジ穴７２が形成してある。そして、床用フレーム３は、ネジ穴７２に螺合させたネジ７３によって荷重受部７に固定してある。これにより、山状傾斜面７１と、通行方向Ｌの前後位置におけるネジ７３とによって、床用フレーム３の傾斜角度を荷重受部７に対して安定して維持することができる。
【００２９】
また、図５に示すごとく、荷重受部７には、支軸６４を挿通させる支軸用穴７４が形成してある。そして、荷重受部７の支軸用穴７４内に支軸６４を挿通した状態で、この支軸６４の両端部を床用フレーム３のサイド板部３２同士の間に掛け渡すことにより、床用フレーム３を荷重受部７に対して回動可能にしている。また、床用フレーム３は、荷重受部７の山状傾斜面７１上に載置された状態で回動可能である。
【００３０】
また、床板４は、アングル（Ｌ型鋼）、チャンネル、Ｃ型鋼等の種々の部材により骨組を形成し、この骨組上に縞鋼板、エキスパンドメタル等の板材を配設してなる。
また、床部２及び支柱５は、軽量化のためにアルミニウムからなる部材を用いて構成することができる。
【００３１】
図４に示すごとく、本例の脚支柱部６は、台座上６１１におねじ部６１２を立設してなる脚支柱下部６１と、丸パイプ６２１の下端におねじ部６１２に螺合する調整用ナット６２２を溶接してなる脚支柱上部６２とからなる。本例のアジャスタ部６０は、丸パイプ６２１内におねじ部６１２を配置し、丸パイプ６２１の下端に溶接した調整用ナット６２２に対しておねじ部６１２を螺合した状態で、脚支柱下部６１を脚支柱上部６２に対して回転させることにより、地面から荷重受部７までの高さを調整するよう構成してある。また、おねじ部６１２には緩み止めナット６３が螺合してあり、この緩み止めナット６３を調整用ナット６２２に対して締め付けることによって、脚支柱部６の長さを固定することができる。
また、図５に示すごとく、本例の手摺支柱部５１は、その下端に配設した一対の連結板部５１１によって、荷重受部７及び床用フレーム３を挟持した状態で、これらに連結してある。
【００３２】
本例の組立式スロープユニット１においては、傾斜スロープ面４１の傾斜角度の調整を容易にすると共に、傾斜スロープ面４１の耐荷重強度を向上させる工夫を行っている。
そして、本例のスロープユニット１を、既設の建築構造物８に増設する際には、アジャスタ部６０により脚支柱部６の長さを調整すると共に、荷重受部７に設けた支軸６４を支点に床用フレーム３を回動させることにより、床用フレーム３を脚支柱部６に対して傾斜配置する。その後、傾斜配置した床用フレーム３に床板４を取り付けることにより、種々の傾斜角度を有する傾斜スロープ面４１を容易に形成することができる。
そのため、上記スロープユニット１は、種々の既設の建築構造物８に容易に増設することができる。
【００３３】
また、傾斜スロープ面４１の傾斜角度は、床用フレーム３を荷重受部７の山状傾斜面７１に沿わせて調整することができる。そのため、傾斜スロープ面４１の傾斜角度の調整が容易である。
また、床用フレーム３は、荷重受部７の山状傾斜面７１上に載置することができる。そのため、床用フレーム３を支柱５に対して安定して配設することができ、床用フレーム３に取り付けた床板４により、傾斜スロープ面４１の耐荷重強度を高く維持することができる。
【００３４】
さらに、手摺支柱部５１は、荷重受部７を介して脚支柱部６上に立設してあり、床用フレーム３及び床板４により傾斜スロープ面４１を形成したときでも、スロープユニット１の設置面（地面）に対して傾斜してしまうことがない。これにより、傾斜スロープ面４１の傾斜角度の調整を行ったときでも、手摺支柱部５１は、上記設置面に対してほぼ垂直に維持することができる。そのため、手摺支柱部５１に直交して手摺部材５２等を配設して手摺５０（図３参照）を構成したときには、この手摺５０の強度を高く維持することができる。
【００３５】
それ故、本例の組立式スロープユニット１によれば、種々の既設の建築構造物８に対して容易に増設することができ、傾斜スロープ面４１の傾斜角度の調整が容易であると共に、傾斜スロープ面４１及び手摺支柱部５１の耐荷重強度を高く維持することができる。
【００３６】
（実施例２）
本例の組立式スロープユニット１は、図６に示すごとく、上記支柱５の脚支柱部６に代えて、以下のジャッキベース支柱６５等を用いてなる。
具体的には、同図に示すごとく、本例の支柱５は、ジャッキ用おねじ部６５１を立設してなるジャッキベース支柱６５と、床用フレーム３を載置するための山状傾斜面７１を形成してなる荷重受部７と、ジャッキ用おねじ部６５１の上部に連結した手摺支柱部５１とを有している。本例の荷重受部７には、ジャッキ用おねじ部６５１に螺合するジャッキ用めねじ部７５が形成してある。
【００３７】
そして、地面から荷重受部７の高さは、この荷重受部７に形成したジャッキ用めねじ部７５と、ジャッキベース支柱６５におけるジャッキ用おねじ部６５１とを相対回転させることによって調整することができる。
また、本例の支柱５は、ジャッキ用おねじ部６５１には緩み止めナット６３が螺合してあり、この緩み止めナット６３を荷重受部７に対して締め付けることによって、地面から荷重受部７までの高さを固定することができる。
【００３８】
図６に示すごとく、本例の床用フレーム３は、互いに直交する一対の板部によるＬ型形状を有するアングル部材を用いて構成してあり、荷重受部７の山状傾斜面７１には、アングル部材の一方の板部の内側面を当接させている。
また、荷重受部７には、傾斜スロープ面４１の通行方向Ｌに直交する幅方向Ｗの内側に向けて支軸６４が設けてある。この支軸６４は、ボルトによって構成してあり、アングル部材の他方の板部に形成した支軸用穴３３内に挿通して、荷重受部７に螺合してある。
【００３９】
そして、床用フレーム３の支軸用穴３３内に支軸６４を挿通した状態で、この支軸６４を荷重受部７に螺合することにより、床用フレーム３を荷重受部７に対して回動可能にしている。また、床用フレーム３は、荷重受部７の山状傾斜面７１上に載置された状態で回動可能である。
なお、本例の荷重受部７は、鋳物により構成した。これに対し、図７に示すごとく、荷重受部７は、例えば、一対のアングル７５を溶接して枠体を構成し、この枠体に、上記山状傾斜面７１を形成したブロック部材７６を溶接して構成することもできる。
【００４０】
本例のスロープユニット１を、既設の建築構造物８に増設する際には、ジャッキ用おねじ部６５１に対するジャッキ用めねじ部７５の螺合高さを調整すると共に、荷重受部７に設けた支軸６４を支点に床用フレーム３を回動させることにより、床用フレーム３を支柱５に対して傾斜配置する。その後、傾斜配置した床用フレーム３に床板４を取り付けることにより、種々の傾斜角度を有する傾斜スロープ面４１を容易に形成することができる。そのため、本例のスロープユニット１もまた、種々の既設の建築構造物８に容易に増設することができる。
【００４１】
また、本例においても、上記実施例１と同様に、傾斜スロープ面４１の傾斜角度の調整が容易であり、傾斜スロープ面４１の耐荷重強度を高く維持することができ、かつ手摺支柱部５１を用いて構成する手摺５０の強度を高く維持することができる。
本例の組立式スロープユニット１においても、その他の構成は上記実施例１と同様であり、上記実施例１と同様の作用効果を得ることができる。
【００４２】
（実施例３）
本例の組立式スロープユニット１は、図８〜図１０に示すごとく、上記荷重受部７に山状傾斜面７１を形成する代わりに、丸パイプ部材３５を用いて構成してある。また、本例においては、上記床用フレーム３を用いておらず、荷重受部７に支軸６４を設ける代わりに、上記丸パイプ部材３５を支点にして床板４を回動させるよう構成している。
具体的には、本例の床部２は、傾斜スロープ面４１の通行方向Ｌに直交する幅方向Ｗにおいて、互いに対向する支柱５における荷重受部７同士の間に掛け渡した丸パイプ部材３５と、この丸パイプ部材３５上に載置する床板４とを有している。
【００４３】
また、図９、図１０に示すごとく、本例の床板４は、複数の床板ピース４５に分割形成してあり、各床板ピース４５は、丸パイプ部材３５上に載置する床板部４５１と、この床板部４５１の通行方向Ｌにおける両端部から下方に向けて屈曲形成した一対の側板部４５２とからなる。そして、通行方向Ｌに互いに隣接する床板ピース４５同士は、側板部４５２によって連結してある。また、通行方向Ｌ及び幅方向Ｗにおいて、互いに隣接する床板ピース４５同士は、溶接して連結状態を固定することができる。
【００４４】
また、図１０に示すごとく、幅方向Ｗに互いに隣接する床板ピース４５同士は、一方の床板ピース４５における通行方向Ｌの一方側に位置する側板部４５２Ａの内側面と、他方の床板ピース４５における通行方向Ｌの他方側に位置する側板部４５２Ｂの内側面との間に、丸パイプ部材３５を挟持している。
また、図８に示すごとく、荷重受部７に対する丸パイプ部材３５の連結は、丸パイプ部材３５の端部に挿入するための挿入軸３６１を設けたフランジ部材３６を用いて行うことができる。
【００４５】
そして、本例のスロープユニット１を、既設の建築構造物８に増設する際には、ジャッキ用おねじ部６５１に対するジャッキ用めねじ部７５の螺合高さを調整すると共に、丸パイプ部材３５を支点に各床板ピース４５を回動させることにより、各床板ピース４５を支柱５に対して傾斜配置する。そして、通行方向Ｌに隣接する床板ピース４５同士を側板部４５２によって連結して、種々の傾斜角度を有する傾斜スロープ面４１を容易に形成することができる。
そのため、本例のスロープユニット１もまた、種々の既設の建築構造物８に容易に増設することができる。
【００４６】
また、本例の傾斜スロープ面４１の傾斜角度は、床板４を丸パイプ部材３５の曲面に沿わせて調整することができる。そのため、傾斜スロープ面４１の傾斜角度の調整が容易である。また、床板４は、丸パイプ部材３５の曲面上に載置することができる。そのため、床板４を支柱５に対して安定して配設することができ、この床板４により、傾斜スロープ面４１の耐荷重強度を高く維持することができる。
本例の組立式スロープユニット１においても、その他の構成は上記実施例１、２と同様であり、上記実施例１、２と同様の作用効果を得ることができる。
【図面の簡単な説明】
【００４７】
【図１】実施例１における、既存住宅又は既存施設における高台部に連結して設置した組立式スロープユニットを側方から見た状態で示す説明図。
【図２】実施例１における、組立式スロープユニットを示す平面図。
【図３】実施例１における、組立式スロープユニットを示す正面図。
【図４】実施例１における、組立式スロープユニットにおける要部を、幅方向から見た状態で示す断面説明図。
【図５】実施例１における、組立式スロープユニットにおける要部を、通行方向から見た状態で示す断面説明図。
【図６】実施例２における、組立式スロープユニットにおける要部を、通行方向から見た状態で示す断面説明図。
【図７】実施例２における、他の組立式スロープユニットにおける要部を、通行方向から見た状態で示す断面説明図。
【図８】実施例３における、組立式スロープユニットにおける要部を、通行方向から見た状態で示す断面説明図。
【図９】実施例３における、床板ピースにより床部を形成した状態を示す斜視説明図。
【図１０】実施例３における、床板ピースにより床部を形成した状態を示す断面説明図。
【符号の説明】
【００４８】
１  組立式スロープユニット
２  床部
３  床用フレーム
３５  丸パイプ部材
４  床板
４１  傾斜スロープ面
４５  床板ピース
５  支柱
５１  手摺支柱部
６  脚支柱部
６０  アジャスタ部
６４  支軸
６５  ジャッキベース支柱
６５１  ジャッキ用おねじ部
７  荷重受部
７１  山状傾斜面
７５  ジャッキ用めねじ部
８  建築構造物
８１  高台部
Ｌ  通行方向
Ｗ  幅方向
【図１】
2007138480.tif 000003
【図２】
2007138480.tif 000004
【図３】
2007138480.tif 000005
【図４】
2007138480.tif 000006
【図５】
2007138480.tif 000007
【図６】
2007138480.tif 000008
【図７】
2007138480.tif 000009
【図８】
2007138480.tif 000010
【図９】
2007138480.tif 000011
【図１０】
2007138480.tif 000012